(57)【要約】【課題】主に足場の妻側の端面に取り付けて、作業者の足場板からの墜落防止を図るとともに、開閉式とし、必要時に開閉でき、かつ開閉状態を固定できる建築足場用開閉扉式ストッパーを提供する。【解決手段】足場板１０上の長手方向を略直角に遮るストッパーＡにおいて、当該足場板１０を支える支柱１１に取り付ける短柱１を設け、当該短柱１の上下部箇所からそれぞれ突出腕２、２を突出させ、これらの各突出腕２の基端部に筒体３、３を設け、これらの筒体３、３を夫々前記短柱１の上下部に被冠して各突出腕２を前記短柱１に回転自在に支持し、これらの上下の突出腕２、２の各自由端を連結縦棒４で接続して上下の突出腕２、２を一体化し、これらの上下の突出腕２、２は足場板１０の長手方向に対して略直角な位置で固定自在とし、その位置で各突出腕２は少なくとも前記足場板１０の一側から他側まで伸びている。【選択図】        図１
0003191991.tif 000002
【実用新案登録請求の範囲】
【請求項１】
足場板上の長手方向を略直角に遮るストッパーにおいて、
当該足場板を支える支柱に取り付ける短柱を設け、当該短柱の上下部箇所からそれぞれ突出腕を突出させ、これらの各突出腕の基端部に筒体を設け、これらの筒体を夫々前記短柱の上下部に被冠して各突出腕を前記短柱に回転自在に支持し、
これらの上下の突出腕の各自由端を連結縦棒で接続して上下の突出腕を一体化し、
これらの上下の突出腕は足場板の長手方向に対して略直角な位置で固定自在とし、その位置で各突出腕は少なくとも前記足場板の一側から他側まで伸びていることを特徴とする、建築足場用開閉扉式ストッパー。
【請求項２】
前記足場の支柱を把持自在なクランプ金具を前記連結縦棒に設けたことを特徴とする、請求項１に記載の建築足場用開閉扉式ストッパー。
【請求項３】
前記各突出腕の筒体の下端の少なくとも２箇所に下端が開口した切欠き溝を設け、これらの切欠き溝は相互に略直角に位置し、またこれらの切欠き溝は上下の筒体の相応する位置に設け、前記各短柱の上下部の相応する位置に突起を設け、これらの各突起は上下の突出腕の筒体の各切欠きに溝に嵌入自在であり、これらの一つの切欠き溝に前記突起が嵌ると突出腕が前記足場板の長手方向に対して略直角な位置で固定される構成であることを特徴とする、請求項１又は２に記載の建築足場用開閉扉式ストッパー。
【請求項４】
前記上下の各突出腕は、外筒と内筒から成り、前記外筒の端部に内筒の端部を挿入してこれらを重合させ、かつ、当該重合箇所で内筒外周を押圧して内筒を固定するボルトを外筒に設けて各突出腕を伸縮、固定自在としたことを特徴とする、請求項１〜３のいずれかに記載の建築足場用開閉扉式ストッパー。
【請求項５】
前記上下の突出腕の各基端部に補強連結棒をわたして設けたことを特徴とする、請求項１〜４のいずれかに記載の建築足場用開閉扉式ストッパー。
【請求項６】
前記短柱の上下部に足場の支柱を把持自在なクランプ金具を夫々設けたことを特徴とする、請求項１〜５のいずれかに記載の建築足場用開閉扉式ストッパー。
【考案の詳細な説明】
【技術分野】
【０００１】
この考案は、建築物を建設する場合や建物の外壁工事の際等に建物の周囲に組み立てる足場の支柱に取り付け、作業者の落下を防止するストッパーに関するもので、主に、足場板の端部に設けて作業者の当該箇所からの落下を防止し、作業者が当該箇所から足場板に昇降する等の場合は、容易に開閉できる扉式のストッパーに関するものである。
【背景技術】
【０００２】
従来、建築物を建設する場合や建物の外壁工事の際等には、建物の周囲に足場を組み工事を行っている。その際、特許文献１に示すように、足場の長手方向の一側又は両側に手すりを設け、足場上での作業者の墜落防止を図っている。
【０００３】
しかしながら、足場の妻側の端部には手すりを設けておらず、当該箇所から作業者が落下してしまう恐れがある。そこで、特許文献２に示すように、足場の妻側の端部に設ける手すりが開発された。これは両側の支柱に妻側の手すりを取り付けて固定するものである。
【先行技術文献】
【特許文献】
【０００４】
【特許文献１】特開２００２−２９５００３号公報
【特許文献２】特開２０１０−１９０７１号公報
【考案の開示】
【考案が解決しようとする課題】
【０００５】
しかしながら、特許文献２の妻側の手すりは、上述の様に、両側の支柱に取り付け固定するものであるため、当該端部から作業者が足場板に乗り降りできない。また、大型の工事用の工具や部材も当該箇所から搬入や搬出が出来ない欠点がある。
【０００６】
そこで、この考案は上記の点に着目し、主に足場の妻側の端面に取り付けて、作業者の足場板からの墜落防止を図るとともに、開閉式とし、必要時に開閉でき、かつ開閉状態を固定できる建築足場用開閉扉式ストッパーを提供することを目的としたものである。
【課題を解決するための手段】
【０００７】
請求項１の考案は、足場板上の長手方向を略直角に遮るストッパーにおいて、当該足場板を支える支柱に取り付ける短柱を設け、当該短柱の上下部箇所からそれぞれ突出腕を突出させ、これらの各突出腕の基端部に筒体を設け、これらの筒体を夫々前記短柱の上下部に被冠して各突出腕を前記短柱に回転自在に支持し、これらの上下の突出腕の各自由端を連結縦棒で接続して上下の突出腕を一体化し、これらの上下の突出腕は足場板の長手方向に対して略直角な位置で固定自在とし、その位置で各突出腕は少なくとも前記足場板の他側まで伸びた、建築足場用開閉扉式ストッパーとした。
【０００８】
また、請求項２の考案は、前記足場の支柱を把持自在なクランプ金具を前記連結縦棒に設けた、請求項１に記載の建築足場用開閉扉式ストッパーとした。
【０００９】
また、請求項３の考案は、前記各突出腕の筒体の下端の少なくとも２箇所に下端が開口した切欠き溝を設け、これらの切欠き溝は相互に略直角に位置し、またこれらの切欠き溝は上下の筒体の相応する位置に設け、前記各短柱の上下部の相応する位置に突起を設け、これらの各突起は上下の突出腕の筒体の各切欠きに溝に嵌入自在であり、これらの一つの切欠き溝に前記突起が嵌ると突出腕が前記足場板の長手方向に対して略直角な位置で固定される構成である、請求項１又は２に記載の建築足場用開閉扉式ストッパーとした。
【００１０】
また、請求項４の考案は、前記上下の各突出腕は、外筒と内筒から成り、前記外筒の端部に内筒の端部を挿入してこれらを重合させ、かつ、当該重合箇所で内筒外周を押圧して内筒を固定するボルトを外筒に設けて各突出腕を伸縮、固定自在とした、請求項１〜３のいずれかに記載の建築足場用開閉扉式ストッパーとした。
【００１１】
また、請求項５の考案は、前記上下の突出腕の各基端部に補強連結棒をわたして設けた、請求項１〜４のいずれかに記載の建築足場用開閉扉式ストッパーとした。
【００１２】
また、請求項６の考案は、前記短柱の上下部に足場の支柱を把持自在なクランプ金具を夫々設けた、請求項１〜５のいずれかに記載の建築足場用開閉扉式ストッパーとした。
【考案の効果】
【００１３】
請求項１の考案によれば、当該ストッパーを足場板の妻側の端部の支柱に取り付け、作業者が足場板に乗って作業している際は、上下の突出腕を前記足場板の長手方向に対して略直角に固定しておけば、当該ストッパーが柵となり作業者の当該足場板の端部からの墜落事故を未然に防ぐことが出来る。また、作業者の昇降や工具又は部材の搬入、搬出の際は前記上下の突出腕の固定を解き、開閉させることが出来、便利である。
【００１４】
また、請求項２の考案によれば、上下の突出腕を固定した状態で、連結縦棒のクランプ金具を、短柱を固定した支柱と反対側の支柱に固定することが出来、これによりストッパーを足場板の長手方向に直角に強固に固定することが出来、足場板上での作業者の作業はより安全となる。
【００１５】
また、請求項３の考案によれば、一体となった上下の突出腕を短柱に対して持ち上げ、各突出腕の筒体の切欠き溝を短柱の突起から外せば、前記突出腕は回転自在となり、反対に、各突出腕の筒体の切欠き溝に短柱の突起を嵌めれば前記突出腕は固定される。この固定位置は当該ストッパーが前記足場板の長手方向に直角な位置と当該ストッパーが足場板の長手方向と平行で、かつ、当該足場板の一側位置である。従って、当該ストッパーの開閉位置で夫々容易に固定できる。
【００１６】
また、請求項４の考案によれば、ストッパーの横の長さが調整できるので、足場板の幅の長さに応じて上下の突出腕を足場板の長手方向に直角に突出させ、足場板を遮ることが出来る。
【００１７】
また、請求項５の考案によれば、上下の突出腕の各基端部に補強連結棒をわたして設けているため、上下の突出腕は強固に一体化し、当該ストッパーの開閉の際、作業者が当該ストッパーの上下一体の突出腕を持ち上げたり、下方に下げたりする作業性が向上する。
【００１８】
また、請求項６の考案によれば、短柱の上下部に足場の支柱を把持自在なクランプ金具を夫々設けているため、当該ストッパーの足場の支柱への取付け、取り外しが、各クランプ金具のボルトの締め付けやゆるます作業のみで極めて簡単である。
【図面の簡単な説明】
【００１９】
【図１】この考案の実施の形態例１の建築足場用開閉扉式ストッパーの使用状態を示す正面図である。
【図２】この考案の実施の形態例１の建築足場用開閉扉式ストッパーの正面図である。
【図３】この考案の実施の形態例１の建築足場用開閉扉式ストッパーの平面図である。
【図４】この考案の実施の形態例１の建築足場用開閉扉式ストッパーの筒体箇所の要部拡大側面図である。
【図５】この考案の実施の形態例１の建築足場用開閉扉式ストッパーの筒体箇所の要部拡大横断面図である。
【図６】この考案の実施の形態例１の建築足場用開閉扉式ストッパーの突出腕の縦断面図である。
【図７】この考案の実施の形態例１の建築足場用開閉扉式ストッパーの第１の使用状態を示す斜視図である。
【図８】この考案の実施の形態例１の建築足場用開閉扉式ストッパーの第２の使用状態を示す斜視図である。
【図９】この考案の実施の形態例１の建築足場用開閉扉式ストッパーの第３の使用状態を示す斜視図である。
【考案を実施するための形態】
【００２０】
（実施の形態例１）
この考案の実施の形態例１の建築足場用開閉扉式ストッパーを図１〜６に基づいて説明する。
【００２１】
図２に示すように、足場の支柱に取り付ける短柱１を設け、当該短柱１の上下部にそれぞれ突出腕２、２を回転自在に設ける。これらの突出腕２は基端部に筒体３、３をそれぞれ設け、各筒体３は前記短柱１に被冠自在で、短柱１の長手方向に摺動自在である。また、前記上下の突出腕２、２は各自由端側において連結縦棒４で接続されて一体となっている。
【００２２】
また、各突出腕２は基端部側が外筒２ａとなっており、自由端側が内筒２ｂとなっており、外筒２ａにはボルト５が貫通、螺着され、また、前記内筒２ｂの一側には長手方向に凹溝６が設けられている。そして、前記外筒２ａ内に内筒２ｂを挿入し、適宜重合させて伸縮調整し、前記ボルト５を締め付けると、当該ボルト５の先端が内筒２ｂの凹溝６を押圧し、各突出腕２はその長さが固定される。
【００２３】
また、上下の突出腕２、２の基端部には補強連結棒７が渡されている。また、前記連結縦棒４には、支柱を把持自在なクランプ金具８が設けられている。
【００２４】
また、前記各筒体３の下端には、図４及び図５に示すように、下端が開口した切欠き溝３ａ、３ａ、３ａが３箇所に設けられ、これらの各切欠き溝３ａは相互に略直角な位置に設けられている。また、これらの各切欠き溝３ａは上下の筒体３、３において相応する位置にそれぞれ設けられている。
【００２５】
また、前記短柱１の上下の、相応する位置に突起１ａ、１ａが設けられ、これらの各突起１ａは、前記各切欠き溝３ａに嵌入自在であり、これらの上下の突起１ａ、１ａに上下の筒体３、３のいずれかの切欠き溝３ａ、３ａが嵌入すると、上下一体となった突出腕２、２は短柱１に対して支持、固定される。図３では突出腕２等を実線で表示した箇所から９０度回転させた位置に点線で突出腕２等を表示しているが、この実施の形態例では各筒体３の下端の切欠き溝３ａは９０度づつ離れた３箇所にあるため、図３において実線の突出腕２等から下方に９０度回転させた箇所でも突出腕２等を固定できる。
【００２６】
また、前記短柱１の上端部及び前記下部の突出腕２の筒体３より上の短柱１にそれぞれクランプ金具９、９が設けられている。この様にクランプ金具９、９を設けると、作業者が上下の突出腕２、２を持ち上げた際、各クランプ金具９が各筒体３のストッパーの役目をし、短柱１から各突出腕２が抜けることが無い。
【００２７】
当該ストッパーＡは以上の構成から成り、これを図１に示すように、足場の足場板１０が取り付けられた支柱１１の上方に取り付けて使用する。その際、前記短柱１の上下のクランプ金具９を足場板１０の一側の支柱１１に取り付け、足場板１０の長手方向に略直角な位置で固定する。
【００２８】
これには、上下の突出腕２、２の各筒体３の下端の３個の切欠き溝３ａ、３ａ、３ａの中間位置の切欠き溝３ａに短柱１の上下の突起１ａ、１ａを嵌める。これにより当該ストッパーＡは前記足場板１０の長手方向を遮る形となる。
【００２９】
また、作業者が当該足場板１０の端部から昇降する際は、作業者が当該上下一体な突出腕２、２を短柱１に沿って持ち上げ、各筒体３の下端の切欠き溝３ａを突起１ａから外し、この状態でストッパーＡを回転させ、ストッパーＡが足場板１０の長手方向に略平行になった際、３個の切欠き溝３ａ、３ａ、３ａのいずれか外側の切欠き溝３ａに突起１ａを嵌めながら上下一体な突出腕２、２を降ろすと、前記切欠き溝３ａに突起１ａが嵌る。
【００３０】
これによりストッパーＡは、足場板１０の端部で開いた状態で固定され、当該箇所から作業者の昇降や、荷物の搬入、搬出が出来る。
【００３１】
以下、当該ストッパーＡの使用箇所の例を図７〜９に示す。図７は足場の足場板１０の妻側の端部に取り付けた状態を示し、足場板１０の一側の支柱１１にストッパーＡの短柱１をクランプ金具８により固定、支持させている。
【００３２】
また、図８は、足場の足場板１０と１０の間に梯子１２が設けられており、当該梯子１２を使って作業者が両側の足場板１０、１０に昇降する状態において、一方の足場板１０の端部に当該ストッパーＡを取り付けたものである。この場合も、作業者の昇降時や荷物の足場板１０への搬入、搬出時以外は、図示のように、ストッパーＡを足場板１０の長手方向を塞ぐように固定されている。そして、必要時にはストッパーＡの固定を解いて開き、当該開いた状態でストッパーＡを固定することもできる。
【００３３】
また、図９は、足場板１０の端部の一側の支柱１１にストッパーＡが支持されており、足場板１０の長手方向を遮る状態で、ストッパーＡは各筒体３の切欠き溝３ａに短柱１の突起１ａが嵌って固定されているが、さらに、当該ストッパーＡの自由端を、クランプ金具８により足場板１０の他側の支柱１３に固定している。
【００３４】
なお、当該ストッパーＡの使用箇所例は図７〜図９に限るものではない。足場板の長手方向を遮る箇所であれば、何処にでも使用できる。
【符号の説明】
【００３５】
Ａ      ストッパー
１      短柱                        １ａ    突起
２      突出腕                      ２ａ    外筒
２ｂ    内筒                        ３      筒体
３ａ    切欠き溝                    ４      連結縦棒    
５      ボルト                      ６      凹溝
７      補強連結棒                  ８      クランプ金具
９      クランプ金具                １０    足場板
１１    支柱                        １２    梯子
１３    支柱
【図１】
0003191991.tif 000003
【図２】
0003191991.tif 000004
【図３】
0003191991.tif 000005
【図４】
0003191991.tif 000006
【図５】
0003191991.tif 000007
【図６】
0003191991.tif 000008
【図７】
0003191991.tif 000009
【図８】
0003191991.tif 000010
【図９】
0003191991.tif 000011
【手続補正書】
【提出日】平成26年5月13日(2014.5.13)
【手続補正１】
【補正対象書類名】図面
【補正対象項目名】全図
【補正方法】変更
【補正の内容】
【図１】
0003191991.tif 000012
【図２】
0003191991.tif 000013
【図３】
0003191991.tif 000014
【図４】
0003191991.tif 000015
【図５】
0003191991.tif 000016
【図６】
0003191991.tif 000017
【図７】
0003191991.tif 000018
【図８】
0003191991.tif 000019
【図９】
0003191991.tif 000020